(57)【要約】【課題】バスレフレックス型のスピーカ装置において、３次高調波の発生を有効に抑制する。【解決手段】本発明に係るスピーカ装置においては、キャビネット１の前面板１１に、低音用のスピーカ５が取り付けられている。キャビネット１の前面板１１と背面板１２の間には、メインダクト２とサブダクト３が同軸上に配置され、互いに所定距離をおいて対向している。メインダクト２の前方端部２１は、キャビネット１の前面板１１に連結されて、キャビネット１の外部へ開放されている。又、サブダクト３の後方端部３２は、キャビネット１の背面板１２に連結されて、閉止されている。【選択図】　　　図１
2004140444.tif 000002
【特許請求の範囲】
【請求項１】
キャビネット（１）内にスピーカ（５）が設置され、該スピーカ（５）からの音波が放射される音響室（１０）は、ダクトを通じてキャビネット（１）の外部に開放されているスピーカ装置において、前記ダクトは、同軸上を伸びるメインダクト部とサブダクト部から構成され、メインダクト部とサブダクト部の境界位置に、音響室（１０）に通じる開口を有し、メインダクト部は、前記開口とは反対側の端部がキャビネット（１）の外部に開口し、サブダクト部は、前記開口とは反対側の端部が閉止されていることを特徴とするスピーカ装置。
【請求項２】
前記ダクトは、メインダクト（２）とサブダクト（３）を同軸上にて互いに離間させて配置したものであり、両ダクト（２）（３）の互いに対向する開口端（２２）（３１）が前記開口を形成している請求項１に記載のスピーカ装置。
【請求項３】
前記ダクトは、１本の連続するダクト（４）であって、該ダクト（４）の途中には、前記開口となる孔（４３）が開設され、該ダクト（４）の一方の端部がキャビネット（１）の外部に開口し、他方の端部は閉止されている請求項１に記載のスピーカ装置。
【請求項４】
ダクト（４）は、一方の端部がキャビネット（１）の前面板（１１）に連結されると共に、他方の端部がキャビネット（１）の背面板（１２）に連結されている請求項３に記載のスピーカ装置。
【請求項５】
ダクト（４）の孔（４３）は、上向きに開設されている請求項３又は請求項４に記載のスピーカ装置。
【発明の詳細な説明】
【０００１】
【発明の属する技術分野】
本発明は、キャビネット内にスピーカが設置され、該スピーカからの音波が放射される音響室がダクトを通じてキャビネットの外部に開放されているスピーカ装置に関するものである。
【０００２】
【従来の技術】
従来、バスレフレックス型のスピーカ装置においては、図５に示す如く、キャビネット（１）の音響室（１０）内にスピーカ（５）が設置され、該音響室（１０）は、両端が開口したダクト（６）を通じて、キャビネット（１）の外部へ開放されている。
スピーカ（５）からは、キャビネット（１）の前方へ向かって音波が放射されると同時に、音響室（１０）へ向かって音波が放射され、該音波はダクト（６）を経てキャビネット（１）の外部へ導かれ、これによって低音が増強されることになる。
【０００３】
【発明が解決しようとする課題】
しかしながら、従来のバスレフレックス型のスピーカ装置においては、ダクトの共振周波数とスピーカユニットの共振周波数との間の帯域において、基本周波数の３倍の周波数を有する３次高調波が発生し易く、これによって音に歪みが生じる問題があった。
例えば図７は、従来のバスレフレックス型のスピーカ装置に対し、１Ｗの交流信号（掃引周波数２０Ｈｚ〜２０ＫＨｚ）を与えたときに発生するインピーダンスと、基本周波数の音圧と、３次高調波の音圧とを測定した結果を表わしている。図示の如く、ダクトの共振周波数Ａとスピーカユニットの共振周波数Ｂとの間の帯域において、音圧レベルの高い３次高調波Ｓ′が発生していることがわかる。
【０００４】
そこで本発明の目的は、３次高調波の発生を有効に抑制することが出来るスピーカ装置を提供することである。
【０００５】
【課題を解決する為の手段】
本発明に係るスピーカ装置は、キャビネット（１）内にスピーカ（５）が設置され、該スピーカ（５）からの音波が放射される音響室（１０）は、ダクトを通じてキャビネット（１）の外部に開放されている。
前記ダクトは、同軸上を伸びるメインダクト部とサブダクト部から構成され、メインダクト部とサブダクト部の境界位置に、音響室（１０）に通じる開口を有し、メインダクト部は、前記開口とは反対側の端部がキャビネット（１）の外部に開口し、サブダクト部は、前記開口とは反対側の端部が閉止されている。
【０００６】
上記本発明のスピーカ装置においては、音響室（１０）内に放射された音波が、ダクトの開口を経てメインダクト部とサブダクト部に導入され、従来のダクトと概ね同じ機能を発揮するメインダクト部では、両端を開放端とする共振が発生すると共に、新たに追加されたサブダクト部では、一方を開放端、他方を閉止端とする共振が発生することになる。
このメインダクト部とサブダクト部の作用によって、３次高調波の発生が有効に抑制されることが実験的に確認された。
【０００７】
具体的構成において、前記ダクトは、メインダクト（２）とサブダクト（３）を同軸上にて互いに離間させて配置したものであり、両ダクト（２）（３）の互いに対向する開口端（２２）（３１）が前記開口を形成している。
或いは、前記ダクトは、１本の連続するダクト（４）であって、該ダクト（４）の途中には、前記開口となる孔（４３）が開設され、該ダクト（４）の一方の端部がキャビネット（１）の外部に開口し、他方の端部は閉止されている。
【０００８】
特に後者のダクト構造は、１本の連続するダクト（４）の一端をキャビネット（１）の前面板に連結し、他端をキャビネット（１）の背面板に連結して実現することが出来るので、キャビネット（１）の前面板と背面板がダクト（４）によって互いに連結されることとなり、キャビネット自体の構造強度が増大する。又、ダクト（４）の孔（４３）を上向きに開設すれば、該孔（４３）からキャビネット（１）内へ異物が落ち込む虞がなく、安全である。
【０００９】
【発明の効果】
本発明に係るスピーカ装置によれば、３次高調波の発生が有効に抑制されて、低音の音質が改善される。
【００１０】
【発明の実施の形態】
以下、本発明の実施の形態につき、図面に沿って具体的に説明する。
第１実施例
本実施例のスピーカ装置は、図１及び図２に示す如く、直方体状のキャビネット（１）を具え、該キャビネット（１）内には音響室（１０）が形成され、キャビネット（１）の前面板（１１）には、低音用のスピーカ（５）が取り付けられている。
【００１１】
キャビネット（１）内には、前面板（１１）と背面板（１２）の間に、メインダクト（２）とサブダクト（３）が同軸上に揃えて配置され、メインダクト（２）の後方端部に形成された開口端（２２）とサブダクト（３）の前方端部に形成された開口端（３１）とが、所定距離をおいて互いに対向している。
メインダクト（２）の前方端部に形成された開口端（２１）は、キャビネット（１）の前面板（１１）に連結されて、キャビネット（１）の外部へ開放されている。又、サブダクト（３）の後方端部（３２）は、キャビネット（１）の背面板（１２）に連結されて、閉止されている。
【００１２】
図６は、上記本発明のスピーカ装置に対して１Ｗの交流信号（掃引周波数２０Ｈｚ〜２０ＫＨｚ）を与えたときに発生するインピーダンスと、基本周波数の音圧と、３次高調波の音圧とを測定した結果を表わしている。図示の如く、ダクトの共振周波数Ａとスピーカユニットの共振周波数Ｂとの間の帯域において、３次高調波Ｓが発生しているが、その音圧レベルは、図７に示す従来のスピーカ装置における３次高調波の音圧レベルよりも抑圧されていることが分かる。
【００１３】
第２実施例
本実施例のスピーカ装置は、図３及び図４に示す如く、直方体状のキャビネット（１）を具え、該キャビネット（１）内には音響室（１０）が形成され、キャビネット（１）の前面板（１１）には、低音用のスピーカ（５）が取り付けられている。
【００１４】
キャビネット（１）内には、前面板（１１）と背面板（１２）の間に、ダクト（４）が配置され、該ダクト（４）の前方端部に形成された開口端（４１）がキャビネット（１）の前面板（１１）に連結されて、キャビネット（１）の外部に開放されている。又、ダクト（４）の後方端部（４２）は、キャビネット（１）の背面板（１２）に連結されて、閉止されている。
ダクト（４）の中間部には、孔（４３）が上向きに開設され、該孔（４３）よりも前方のダクト部が第１実施例のメインダクトに対応し、該孔（４３）よりも後方のダクト部が第１実施例のサブダクトに対応している。
【００１５】
従って、本実施例のスピーカ装置においても、図６に示す如く、ダクトの共振周波数Ａとスピーカユニットの共振周波数Ｂとの間の帯域に発生する３次高調波Ｓが、従来よりも抑制されることになる。
【００１６】
又、本実施例のスピーカ装置においては、キャビネット（１）の前面板（１１）と背面板（１２）をダクト（４）によって互いに連結した構造を有し、キャビネット（１）自体の構造強度が大きくなるため、キャビネット（１）の板厚を減少させることが可能であり、これによって材料コストの節減が図られる。
然も、ダクト（４）の孔（４３）は上向きに開設されているので、ダクト（４）の開口端（４１）から異物が侵入したとしても、該異物が孔（４３）からキャビネット（１）内へ落下する虞はない。
【図面の簡単な説明】
【図１】第１実施例のスピーカ装置の一部破断斜視図である。
【図２】該スピーカ装置の垂直断面図である。
【図３】第２実施例のスピーカ装置の一部破断斜視図である。
【図４】該スピーカ装置の垂直断面図である。
【図５】従来のスピーカ装置の垂直断面図である。
【図６】本発明のスピーカ装置の出力特性を示すグラフである。
【図７】従来のスピーカ装置の出力特性を示すグラフである。
【符号の説明】
（１）　キャビネット
（１１）　前面板
（１２）　背面板
（１０）　音響室
（２）　メインダクト
（３）　サブダクト
（４）　ダクト
（４３）　孔
（５）　スピーカ
【図１】
2004140444.tif 000003
【図２】
2004140444.tif 000004
【図３】
2004140444.tif 000005
【図４】
2004140444.tif 000006
【図５】
2004140444.tif 000007
【図６】
2004140444.tif 000008
【図７】
2004140444.tif 000009